(57)【要約】【課題】製造コストを低廉化すると共にＲＯＭコレクションを確実に実行することを可能とするＲＯＭコレクション管理装置を提供する。【解決手段】フロントエンドＩＣ６を交換可能に搭載し、フロントエンドＩＣ６にはＲＯＭコレクションデータが格納された不揮発メモリ８が取り外し可能に搭載されたフロントエンド搭載部２ａと、不揮発メモリ８から読み出したＲＯＭコレクションデータに基づきＲＯＭコレクションを実行する制御部３と、フロントエンドＩＣ６の交換時にフロントエンドＩＣ６から取り外された不揮発メモリ８を搭載して制御部３と電気的に接続させる不揮発メモリ搭載部２ｂとをマザーボード上に設け、制御部３は、不揮発メモリ搭載部２ｂに不揮発メモリ８が付け替えられると、不揮発メモリ搭載部２ｂに搭載された不揮発メモリ８を優先してＲＯＭコレクションデータを読み出してＲＯＭコレクションを実行する。【選択図】図３
2007249636.tif 000002
【特許請求の範囲】
【請求項１】
フロントエンドＩＣを交換可能に搭載し、前記フロントエンドＩＣにはＲＯＭコレクションデータが格納された不揮発メモリが取り外し可能に搭載されたフロントエンド搭載部と、
前記フロントエンド搭載部に搭載された前記フロントエンドＩＣと電気的に接続され、前記不揮発メモリから読み出したＲＯＭコレクションデータに基づきＲＯＭコレクションを実行する制御部と、
前記フロントエンドＩＣの交換時に前記フロントエンドＩＣから取り外された不揮発メモリを搭載して前記制御部と電気的に接続させる不揮発メモリ搭載部と、
がマザーボード上に設けられ、
前記制御部は、前記不揮発メモリ搭載部に前記不揮発メモリが付け替えられると、前記フロントエンド搭載部に搭載されたフロントエンドＩＣの不揮発メモリより前記不揮発メモリ搭載部に搭載された前記不揮発メモリを優先して前記ＲＯＭコレクションデータを読み出してＲＯＭコレクションを実行することを特徴とするＲＯＭコレクション管理装置。
【請求項２】
前記フロントエンド搭載部に搭載され前記不揮発メモリ搭載部に付け替えられる前記不揮発メモリはＲＯＭコレクションデータとフロントエンドＩＣの性能を調整する調整データとを格納する容量を有することを特徴とする請求項１記載のＲＯＭコレクション管理装置。
【請求項３】
前記制御部は、前記不揮発メモリ搭載部に付け替えられた前記不揮発メモリについて、前記不揮発メモリへのＲＯＭコレクションデータ格納時に書き込まれる認識マークが読めるか否かの判断を行い、前記認識マークが読めない場合は、前記不揮発メモリが前記制御部と電気的に接続された状態になっていないものと判断することを特徴とする請求項１又は請求項２記載のＲＯＭコレクション管理装置。
【請求項４】
前記制御部には表示部が電気的に接続されており、前記制御部は前記認識マークが読めない場合は前記表示部にエラーメッセージを表示させることを特徴とする請求項３記載のＲＯＭコレクション管理装置。
【請求項５】
フロントエンドＩＣを交換可能に搭載し、前記フロントエンドＩＣにはＲＯＭコレクションデータが格納された不揮発メモリが取り外し可能に搭載されたフロントエンド搭載部と、
前記フロントエンド搭載部に搭載された前記フロントエンドＩＣと電気的に接続され、前記不揮発メモリから読み出したＲＯＭコレクションデータに基づきＲＯＭコレクションを実行する制御部と、
前記フロントエンドＩＣの交換時に前記フロントエンドＩＣから取り外された不揮発メモリを搭載して前記制御部と電気的に接続させる不揮発メモリ搭載部と、
をマザーボード上に設け、
前記不揮発メモリ搭載部に前記不揮発メモリが付け替えられると、前記フロントエンド搭載部に搭載されたフロントエンドＩＣの不揮発メモリより前記不揮発メモリ搭載部に搭載された前記不揮発メモリを優先して前記ＲＯＭコレクションデータを読み出してＲＯＭコレクションを実行することを特徴とするＲＯＭコレクション管理方法。
【請求項６】
前記フロントエンド搭載部に搭載され前記不揮発メモリ搭載部に付け替えられる前記不揮発メモリとしてＲＯＭコレクションデータとフロントエンドＩＣの性能を調整する調整データとを格納する容量を有する不揮発メモリを使用することを特徴とする請求項５記載のＲＯＭコレクション管理方法。
【請求項７】
前記不揮発メモリ搭載部に付け替えられた前記不揮発メモリについて、前記不揮発メモリへのＲＯＭコレクションデータ格納時に書き込まれる認識マークが読めるか否かの判断を行い、前記認識マークが読めない場合は、前記不揮発メモリが前記制御部と電気的に接続された状態になっていないものと判断することを特徴とする請求項５又は請求項６記載のＲＯＭコレクション管理方法。
【請求項８】
前記制御部に電気的に接続された表示部を使用して、前記認識マークが読めない場合は前記表示部にエラーメッセージを表示させることを特徴とする請求項７記載のＲＯＭコレクション管理方法。
【発明の詳細な説明】
【技術分野】
【０００１】
本発明は、ＲＯＭコレクション管理装置及びＲＯＭコレクション管理方法に関する。
【背景技術】
【０００２】
従来から、様々な電子機器においてＣＰＵ及びＲＯＭがワンチップ化されたマイクロコンピュータが用いられている。このようなマイクロコンピュータでは、マイクロコンピュータ作成時にプログラムがマスク化されてＲＯＭに格納され、マスク化後のプログラムの変更は不可能となっていた。
【０００３】
しかし、プログラムのバグなどの不具合により、マイクロコンピュータのマスク化後にプログラムの一部の変更が必要になる場合があった。
【０００４】
そこで、近年では、ＲＯＭコレクション（ＲＯＭ訂正）と呼ばれるＲＯＭの訂正機能を用いて、マスク化されたプログラムを訂正する処理が行われている（特許文献１など参照）。このＲＯＭコレクションは、プログラムの一部を訂正するためのＲＯＭコレクションデータをＥＥＰＲＯＭ（Electrically Erasable and Programmable ROM）などの不揮発メモリ内に記憶しておき、プログラムに不具合が発生したときに、このＲＯＭコレクションデータを用いてマスク化されたプログラムの一部のデータを訂正する機能である。
【０００５】
このようなＲＯＭコレクションデータは、一般にマザーボード上に搭載された不揮発メモリに記憶されていた。
【特許文献１】特開２００２−３１２１８８号公報
【発明の開示】
【発明が解決しようとする課題】
【０００６】
しかしながら、図７に示すように、マザーボード２０にＲＯＭコレクションデータを格納した不揮発メモリ２１を搭載し、更に、フロントエンド性能の調整データを格納した不揮発メモリ２２が内蔵されたフロントエンド２３を搭載すると、マザーボード２０の上に複数の不揮発メモリ２１，２２が存在することになり、製造コストが増大するという問題があった。
【０００７】
ここで、図８に示すように、マザーボード２０にチューナ回路２４が搭載されたマイクロコンピュータでは、マザーボード２０に不揮発メモリ２５を搭載して、この不揮発メモリ容量の半分をＲＯＭコレクションデータ用として使用し、もう半分をチューナ回路の性能を調整するための調整データ用として使用していた。したがって、図８のマザーボード２０のチューナ回路２４をチューナモジュールその他のフロントエンドに置き換えたとしても、同様の回路構成が成り立つと言える。
【０００８】
そこで、図９に示すように、マザーボード２０に不揮発メモリ２６を内蔵したフロントエンド２７を搭載して、不揮発メモリ容量の半分をＲＯＭコレクションデータ用として使用し、もう半分を調整データ用として使用する場合を考える。
【０００９】
しかし、上記の場合、マザーボード２０に搭載されたフロントエンド２７が市場において交換された場合、図１０に示すように、マザーボード２０の上にＲＯＭコレクションデータを格納した不揮発メモリが存在しなくなり、ＲＯＭコレクションを実行することができなくなるという問題があった。
【００１０】
この場合、図１１に示すように、マザーボード２０に新しく不揮発メモリ２８を内蔵したフロントエンド２９が搭載されたとしても、対応するＲＯＭコレクションデータが不揮発メモリ２８に格納されていなければ、やはりＲＯＭコレクションを実行することはできないという問題があった。
【００１１】
この場合、図１２に示すように、新たに搭載されたフロントエンド２９の不揮発メモリ２８にＲＯＭコレクションデータを書き込むことが考えられるが、多数のＲＯＭコレクションデータ書き込み用のＲＯＭコレクション書き込み治具が必要となるため、新たに膨大な設備投資が必要になるという問題があった。
【００１２】
また、図１３に示すように、新たに搭載されたフロントエンド２９に、元のフロントエンド２７が内蔵していた不揮発メモリ２６を付け替えることも考えられるが、この場合はフロントエンドの性能を調整するための調整データを新たなフロントエンド２９に対応させるために新たに膨大な設備投資が必要になるという問題があった。
【００１３】
本発明の課題は、ＲＯＭコレクションを実行するＲＯＭコレクション管理装置及びＲＯＭコレクション管理方法において、製造コストを低廉化すると共にＲＯＭコレクションを確実に実行することを可能とするＲＯＭコレクション管理装置及びＲＯＭコレクション管理方法を提供することにある。
【課題を解決するための手段】
【００１４】
上記課題を解決するため請求項１に記載の発明は、ＲＯＭコレクション管理装置であって、フロントエンドＩＣを交換可能に搭載し、前記フロントエンドＩＣにはＲＯＭコレクションデータが格納された不揮発メモリが取り外し可能に搭載されたフロントエンド搭載部と、前記フロントエンド搭載部に搭載された前記フロントエンドＩＣと電気的に接続され、前記不揮発メモリから読み出したＲＯＭコレクションデータに基づきＲＯＭコレクションを実行する制御部と、前記フロントエンドＩＣの交換時に前記フロントエンドＩＣから取り外された不揮発メモリを搭載して前記制御部と電気的に接続させる不揮発メモリ搭載部と、がマザーボード上に設けられ、前記制御部は、前記不揮発メモリ搭載部に前記不揮発メモリが付け替えられると、前記フロントエンド搭載部に搭載されたフロントエンドＩＣの不揮発メモリより前記不揮発メモリ搭載部に搭載された前記不揮発メモリを優先して前記ＲＯＭコレクションデータを読み出してＲＯＭコレクションを実行することを特徴とする。
【００１５】
請求項２に記載の発明は、請求項１記載のＲＯＭコレクション管理装置であって、前記フロントエンド搭載部に搭載され前記不揮発メモリ搭載部に付け替えられる前記不揮発メモリはＲＯＭコレクションデータとフロントエンドＩＣの性能を調整する調整データとを格納する容量を有することを特徴とする。
【００１６】
請求項３に記載の発明は、請求項１又は請求項２記載のＲＯＭコレクション管理装置であって、前記制御部は、前記不揮発メモリ搭載部に付け替えられた前記不揮発メモリについて、前記不揮発メモリへのＲＯＭコレクションデータ格納時に書き込まれる認識マークが読めるか否かの判断を行い、前記認識マークが読めない場合は、前記不揮発メモリが前記制御部と電気的に接続された状態になっていないものと判断することを特徴とする。
【００１７】
請求項４に記載の発明は、請求項３記載のＲＯＭコレクション管理装置であって、前記制御部には表示部が電気的に接続されており、前記制御部は前記認識マークが読めない場合は前記表示部にエラーメッセージを表示させることを特徴とする。
【００１８】
請求項５に記載の発明は、ＲＯＭコレクション管理方法であって、フロントエンドＩＣを交換可能に搭載し、前記フロントエンドＩＣにはＲＯＭコレクションデータが格納された不揮発メモリが取り外し可能に搭載されたフロントエンド搭載部と、前記フロントエンド搭載部に搭載された前記フロントエンドＩＣと電気的に接続され、前記不揮発メモリから読み出したＲＯＭコレクションデータに基づきＲＯＭコレクションを実行する制御部と、前記フロントエンドＩＣの交換時に前記フロントエンドＩＣから取り外された不揮発メモリを搭載して前記制御部と電気的に接続させる不揮発メモリ搭載部と、をマザーボード上に設け、前記不揮発メモリ搭載部に前記不揮発メモリが付け替えられると、前記フロントエンド搭載部に搭載されたフロントエンドＩＣの不揮発メモリより前記不揮発メモリ搭載部に搭載された前記不揮発メモリを優先して前記ＲＯＭコレクションデータを読み出してＲＯＭコレクションを実行することを特徴とする。
【００１９】
請求項６に記載の発明は、請求項５記載のＲＯＭコレクション管理方法であって、前記フロントエンド搭載部に搭載され前記不揮発メモリ搭載部に付け替えられる前記不揮発メモリとしてＲＯＭコレクションデータとフロントエンドＩＣの性能を調整する調整データとを格納する容量を有する不揮発メモリを使用することを特徴とする。
【００２０】
請求項７に記載の発明は、請求項５又は請求項６記載のＲＯＭコレクション管理方法であって、前記不揮発メモリ搭載部に付け替えられた前記不揮発メモリについて、前記不揮発メモリへのＲＯＭコレクションデータ格納時に書き込まれる認識マークが読めるか否かの判断を行い、前記認識マークが読めない場合は、前記不揮発メモリが前記制御部と電気的に接続された状態になっていないものと判断することを特徴とする。
【００２１】
請求項８に記載の発明は、請求項７記載のＲＯＭコレクション管理方法であって、前記制御部に電気的に接続された表示部を使用して、前記認識マークが読めない場合は前記表示部にエラーメッセージを表示させることを特徴とする。
【発明の効果】
【００２２】
本発明によれば、マザーボード上のフロントエンドＩＣの不揮発メモリからＲＯＭコレクションデータを読み出すことにより、マザーボード上に別途不揮発メモリを設けることなくＲＯＭコレクションを実行することが可能となり、製造コストが低廉化されるという効果を得ることができる。また、フロントエンドＩＣの交換時に不揮発メモリをマザーボード上に付け替えて、この不揮発メモリから優先してＲＯＭコレクションデータを読み出すことにより、新たに搭載されたフロントエンドＩＣの不揮発メモリにＲＯＭコレクションデータが格納されていない場合や古いバージョンのＲＯＭコレクションデータが格納されていた場合でも、フロントエンドＩＣの交換前と同様のＲＯＭコレクションデータを用いてＲＯＭコレクションを確実に実行することができるという効果を得ることができる。
【発明を実施するための最良の形態】
【００２３】
以下、図面を参照して、本発明を実施するための最良の形態を詳細に説明する。
【００２４】
本実施形態では、本発明のＲＯＭコレクション管理装置１を、チューナモジュールを制御する制御装置のＲＯＭコレクションの管理に適用する場合について説明する。図１は、ＲＯＭコレクション管理装置１の概略構成を示すブロック図である。
【００２５】
図１に示すように、ＲＯＭコレクション管理装置１は、マザーボード２を備えており、マザーボード２には制御部３が設けられている。また、制御部３には図示しないＬＣＤドライバを介して表示部４としての液晶ディスプレイが電気的に接続されると共に、図示しない操作入力部が電気的に接続されている。
【００２６】
また、制御部３には、ＲＯＭコレクション管理装置１の機能及び性能の試験が行われる段階で、ＲＯＭコレクション管理装置１の機能及び性能について電気的測定を行うファンクション治具５が電気的に接続されるようになっている。ファンクション治具５は、マザーボード２のチェックランドに多数ピンを当て、端子間電圧の測定や信号出力レベルの測定などを行う装置である。
【００２７】
ＲＯＭコレクション管理装置１が備えるマザーボード２の上には、フロントエンドＩＣ６を交換可能に搭載することにより、フロントエンドＩＣ６を制御部３と電気的に接続するフロントエンド搭載部２ａが設けられている。
【００２８】
フロントエンドＩＣ６は、図示しないチューナ部や中間周波処理部などがＩＣチップ７の上に１チップ化されたチューナモジュールとして構成されている。また、ＩＣチップ７の上には、不揮発メモリ８を取り外し可能に搭載する不揮発メモリ搭載部７ａが設けられており、フロントエンドＩＣ６がフロントエンド搭載部２ａに搭載されると、不揮発メモリ８と制御部３とが電気的に接続されるようになっている。
【００２９】
不揮発メモリ８は、ＲＯＭコレクションデータと、チューナ部のチューナ性能を調整するための調整データとを格納する容量を有している。
【００３０】
ここで、ＲＯＭコレクションデータとは、ＲＯＭコレクション（ＲＯＭ訂正）と呼ばれるマスク化されたプログラムの一部のデータを訂正する機能を実行するための訂正データをいう。このＲＯＭコレクションデータは、フロントエンドＩＣ６がフロントエンド搭載部２ａに搭載された後、ＲＯＭコレクション管理装置１の機能及び性能の試験が行われる段階で、ファンクション治具５により不揮発メモリ８に書き込まれるようになっている。なお、ＲＯＭコレクションが必要でないＲＯＭコレクション管理装置１については、不揮発メモリ８へのＲＯＭコレクションデータの書き込みは行われない。
【００３１】
また、調整データとは、チューナ部のチューナ性能を最大限に引き出すための調整データであり、高い受信性能を維持するための同調設定や、受信状態が良好なチャネルを選択させるためのシークストップレベルなどの調整値をいう。また、シークストップレベルとは、チャネルをシークして受信状態が良好なチャネル位置で自動的にシークをストップさせるシークストップ機能において、局あり又は局なしの判定の基準となる音声搬送波の電圧レベルをいう。
【００３２】
また、不揮発メモリ８には、ＲＯＭコレクション管理装置１の機能及び性能の試験が行われる段階、すなわち不揮発メモリ８にＲＯＭコレクションデータの書き込みが行われる段階で、ＲＯＭコレクションデータが書き込まれるか否かに関わらず、ファンクション治具５によって識別マークが書き込まれるようになっている。
【００３３】
また、マザーボード２の上には、フロントエンドＩＣ６の交換時に、図２に示すようにフロントエンドＩＣ６から取り外された不揮発メモリ８を搭載することにより、不揮発メモリ８と制御部３とを電気的に接続させる不揮発メモリ搭載部２ｂが設けられている。
【００３４】
次に、ＲＯＭコレクション管理装置１の制御構成について説明する。
【００３５】
フロントエンドＩＣ６としてのチューナモジュールは、図示しないアンテナで受信された搬送信号の中から一の周波数帯域に存在する搬送信号を受信し、その受信信号を中間周波信号に変換して、その中間周波信号から音声信号を検波復調するようになっている。
【００３６】
不揮発メモリ８は、ＲＯＭコレクションデータと調整データとを格納するようになっている。
【００３７】
表示部４としての液晶ディスプレイは、図示しないＬＣＤドライバの制御により、制御部３からの指示信号に従って、不揮発メモリ８が制御部３と電気的に接続された状態で不揮発メモリ搭載部２ｂに搭載されていない場合のエラーメッセージなどを表示するようになっている。
【００３８】
制御部３は、ＣＰＵ３ａ、ＲＯＭ３ｂ及びＲＡＭ３ｃを備えて構成されており、ＲＯＭ３ｂに格納されたプログラムをＲＡＭ３ｃに展開してＣＰＵ３ａによりこのプログラムを実行するようになっている。
【００３９】
本実施形態の制御部３は、ＣＰＵ３ａが不揮発メモリ８からＲＯＭコレクションデータを読み出し、ＲＡＭ３ｃに展開してこれを実行することにより、ＲＯＭ３ｂに格納されたプログラムの一部を訂正するＲＯＭコレクションを実行するようになっている。
【００４０】
また、制御部３は、フロントエンドＩＣ６の交換時にマザーボード２の不揮発メモリ搭載部２ｂに不揮発メモリ８が付け替えられると、図３及び図４に示すように、この不揮発メモリ８から優先的にＲＯＭコレクションデータを読み出してＲＯＭコレクションを実行するようになっている。すなわち、制御部３は、フロントエンドＩＣ６の交換時に新たにフロントエンド搭載部２ａに搭載されたフロントエンドＩＣ９に不揮発メモリ１０が搭載されていたとしても、不揮発メモリ搭載部２ｂに付け替えられた不揮発メモリ８から優先的にＲＯＭコレクションデータを読み出すようになっている。
【００４１】
これにより、図３に示すように、新たに搭載されたフロントエンドＩＣ９の不揮発メモリ１０にＲＯＭコレクションデータが格納されていない場合や、図４に示すように、古いバージョンのＲＯＭコレクションデータが格納されていた場合でも、従前のフロントエンドＩＣ６に搭載されていた不揮発メモリ８から優先的にＲＯＭコレクションデータを読み出すことにより、ＲＯＭコレクションを確実に実行することが可能となる。
【００４２】
また、制御部３は、ＲＯＭコレクション管理装置１がＯＮとされると、マザーボード２の不揮発メモリ搭載部２ｂに搭載された不揮発メモリ８から認識マークが読めるか否かを判断するようになっている。
【００４３】
すなわち、図５及び図６に示すように、フロントエンドＩＣ６の不揮発メモリ搭載部７ａに搭載された不揮発メモリ８には、ＲＯＭコレクションデータの格納時に識別マークが書き込まれる。図５及び図６において、識別マークは「●」として示している。図５はＲＯＭコレクション管理装置１の機能及び性能の試験段階で不揮発メモリ８にＲＯＭコレクションデータが格納されなかった場合の例であり、図６は同様の段階で不揮発メモリ８にＲＯＭコレクションデータが格納された場合の例である。制御部３は、不揮発メモリ搭載部７ａから不揮発メモリ搭載部２ｂに付け替えられた不揮発メモリ８からこの認識マークが読めるか否かを判断することにより、不揮発メモリ８の付け替えが正常に行われ、不揮発メモリ８が制御部３と電気的に接続された状態で不揮発メモリ搭載部２ｂに搭載されているか否かを判断することができる。
【００４４】
また、制御部３は、不揮発メモリ搭載部２ｂに搭載された不揮発メモリ８から認識マークを読むことができないと判断した場合は、表示部４にエラーメッセージを表示させるようになっている。
【００４５】
これにより、部品の破損や半田不良が原因で不揮発メモリ８の付け替えが正常に行われなかった場合は製造者にその旨が報知されるため、修理などにより製品の信頼性を向上させることが可能となる。なお、不揮発メモリ搭載部２ｂに搭載された不揮発メモリ８から認識マークを読むことができないと判断した場合は、図示しない操作入力部からの指示信号があった場合にもＲＯＭコレクション管理装置１の電源をＯＮとしない構成としてもよい。
【００４６】
また、制御部３は、ＩＣチップ７の不揮発メモリ搭載部７ａに搭載された不揮発メモリ８から同調設定やシークストップレベルの調整値といった調整データを読み出し、その調整データに従ってフロントエンドＩＣ６としてのチューナモジュールの各種設定を行うようになっている。
【００４７】
次に、ＲＯＭコレクション管理装置１を使用した本発明のＲＯＭコレクション管理方法について説明する。
【００４８】
フロントエンドＩＣ６の不揮発メモリ搭載部７ａに不揮発メモリ８が搭載され、マザーボード２のフロントエンド搭載部２ａにフロントエンドＩＣ６が搭載されると、不揮発メモリ８と制御部３とは電気的に接続される。
【００４９】
次に、ＲＯＭコレクション管理装置１の機能及び性能の試験が行われる段階で、ＲＯＭコレクション管理装置１にファンクション治具５が電気的に接続されると、ファンクション治具５は不揮発メモリ８に認識マークを書き込む。
【００５０】
次に、制御部３のＣＰＵ３ａがＲＯＭコレクションを行う必要があると判断すると、ＣＰＵ３ａは不揮発メモリ搭載部７ａに搭載された不揮発メモリ８からＲＯＭコレクションデータを読み出し、ＲＡＭ３ｃに展開してこれを実行することにより、ＲＯＭ３ｂに格納されたプログラムの一部を訂正するＲＯＭコレクションを実行する。
【００５１】
また、制御部３は、不揮発メモリ搭載部７ａに搭載された不揮発メモリ８から同調設定やシークストップレベルの調整値といった調整データを読み出し、その調整データに従ってフロントエンドＩＣ６としてのチューナモジュールの各種設定を行う。
【００５２】
次に、チューナ性能の劣化などに起因してマザーボード２の上のフロントエンドＩＣ６が交換される際に、不揮発メモリ搭載部７ａの不揮発メモリ８がマザーボード２の不揮発メモリ搭載部２ｂに付け替えられると、制御部３は、不揮発メモリ８が制御部３と電気的に接続された状態で不揮発メモリ搭載部２ｂに搭載されているか否かを判断する。
【００５３】
すなわち、制御部３はフロントエンドＩＣ６の交換後、ＲＯＭコレクション管理装置１の電源がＯＮとされた際に、不揮発メモリ搭載部７ａに搭載された不揮発メモリ８から認識マークが読めるか否かを判断することにより、不揮発メモリ８の付け替えが正常に行われたか否かを判断する。
【００５４】
続いて、制御部３は、認識マークを読むことができないと判断した場合は、表示部４にエラーメッセージを表示させる。
【００５５】
一方、制御部３は、認識マークを読むことができたと判断した場合は、マザーボード２の不揮発メモリ搭載部２ｂに付け替えられた不揮発メモリ８から優先的にＲＯＭコレクションデータを読み出して実行する。これにより、新たに搭載されたフロントエンドＩＣ９の不揮発メモリ１０にＲＯＭコレクションデータが格納されていない場合や、古いバージョンのＲＯＭコレクションデータが格納されていた場合でも、ＲＯＭコレクション機能が確実に実行される。
【００５６】
このように本実施形態のＲＯＭコレクション管理装置１及びＲＯＭコレクション管理方法によれば、マザーボード２に搭載されたフロントエンドＩＣ６の不揮発メモリ８からＲＯＭコレクションデータを読み出すことによって、マザーボード２の上に別途不揮発メモリ８を設けることなくＲＯＭコレクションを実行することが可能となり、製造コストが低廉化されるという効果を得ることができる。また、フロントエンドＩＣ６の交換時に不揮発メモリ８をマザーボード２の上に付け替えて、この不揮発メモリ８から優先してＲＯＭコレクションデータを読み出すことにより、新たに搭載されたフロントエンドＩＣ９の不揮発メモリ１０にＲＯＭコレクションデータが格納されていない場合や古いバージョンのＲＯＭコレクションデータが格納されていた場合でも、フロントエンドＩＣ６の交換前と同様のＲＯＭコレクションデータを用いてＲＯＭコレクションを確実に実行することができるという効果を得ることができる。
【００５７】
なお、本実施形態ではフロントエンドＩＣ６の交換時にフロントエンドＩＣ６の不揮発メモリ８をマザーボード２に付け替える場合について説明したが、本発明のＲＯＭコレクション管理装置及びＲＯＭコレクション管理方法は、フロントエンドＩＣ６の交換前にマザーボード２の不揮発メモリ搭載部２ｂに何も格納していない新たな不揮発メモリを搭載させ、制御部３によりフロントエンドＩＣ６に搭載された不揮発メモリ８のＲＯＭコレクションデータを新たに搭載した不揮発メモリに転送した後で、フロントエンドＩＣ６の交換を行う場合に適用することも可能である。これにより一度取り外した不揮発メモリを付け替えるという品質面で若干不安の残る作業を回避して、製品の信頼性を向上させることができる。
【００５８】
以上詳細に説明したように、本発明のＲＯＭコレクション管理装置及びＲＯＭコレクション管理方法によれば、製造コストを低廉化すると共にＲＯＭコレクションを確実に実行することが可能となる。
【図面の簡単な説明】
【００５９】
【図１】本実施形態のＲＯＭコレクション管理装置の構成を示す平面図である。
【図２】本実施形態のＲＯＭコレクション管理装置の構成を示す平面図である。
【図３】本実施形態のＲＯＭコレクション管理装置の構成を示す平面図である。
【図４】本実施形態のＲＯＭコレクション管理装置の構成を示す平面図である。
【図５】本実施形態のＲＯＭコレクション管理装置の構成を示す平面図である。
【図６】本実施形態のＲＯＭコレクション管理装置の構成を示す平面図である。
【図７】従来のＲＯＭコレクション管理装置の構成を示す平面図である。
【図８】従来の他のＲＯＭコレクション管理装置の構成を示す平面図である。
【図９】従来の他のＲＯＭコレクション管理装置の構成を示す平面図である。
【図１０】従来の他のＲＯＭコレクション管理装置の構成を示す平面図である。
【図１１】従来の他のＲＯＭコレクション管理装置の構成を示す平面図である。
【図１２】従来の他のＲＯＭコレクション管理装置の構成を示す平面図である。
【図１３】従来の他のＲＯＭコレクション管理装置において不揮発メモリを付け替える場合の概念図である。
【符号の説明】
【００６０】
１  ＲＯＭコレクション管理装置
２  マザーボード
２ａ  フロントエンド搭載部
２ｂ  不揮発メモリ搭載部
３  制御部
４  表示部
５  ファンクション治具
６  フロントエンドＩＣ
７  ＩＣチップ
７ａ  不揮発メモリ搭載部
８  不揮発メモリ
【図１】
2007249636.tif 000003
【図２】
2007249636.tif 000004
【図３】
2007249636.tif 000005
【図４】
2007249636.tif 000006
【図５】
2007249636.tif 000007
【図６】
2007249636.tif 000008
【図７】
2007249636.tif 000009
【図８】
2007249636.tif 000010
【図９】
2007249636.tif 000011
【図１０】
2007249636.tif 000012
【図１１】
2007249636.tif 000013
【図１２】
2007249636.tif 000014
【図１３】
2007249636.tif 000015